【手続補正書】
【提出日】平成23年7月20日(2011.7.20)
【手続補正１】
【補正対象書類名】特許請求の範囲
【補正対象項目名】全文
【補正方法】変更
【補正の内容】
【特許請求の範囲】
【請求項１】
式III又は式Vの化合物。
2010535270.tif 000001
（式中、
a、d、e、f、g、j、k及びlは、それぞれ独立して、CR1、N又はPであり；
b、c、h及びiは、それぞれ独立して、CR2、N又はPであり；
pはCR3であり；
qはCR4;であり；
Wは、存在する場合には独立して、O、S、NR1又はC(CN)2であり；
Yは、存在する場合には独立して、a)二価のC1-10アルキル基、b)二価のC2-10アルケニル基、c)二価のC2-10アルキニル基、d)二価のC1-10ハロアルキル基又はe)共有結合であり；
Zは、CR3R4又はSiR3R4であり；
R1は、存在する場合には独立して、a)H、b)ハロゲン、c)-CN、d)-NO2、e)C1-30アルキル基、f)C2-30アルケニル基、g)C2-30アルキニル基、h)C1-30ハロアルキル基、i)-Y-C3-14シクロアルキル基、j)-Y-C6-14アリール基、k)-Y-3〜14員シクロヘテロアルキル基又はl)-Y-5〜14員ヘテロアリール基であり、ここで、C1-30アルキル基、C2-30アルケニル基、C2-30アルキニル基、C1-30ハロアルキル基、C3-14シクロアルキル基、C6-14アリール基、3〜14員シクロヘテロアルキル基及び5〜14員ヘテロアリール基は、それぞれ、1〜5のR9基で置換されていてもよく；
R2は、存在する場合には独立して、a)H、b)ハロゲン、c)-CN、d)-NO2、e)-OS(O)2R5、f)-Sn(R5)3、g)-B(OR5)2、h)-Y-R6、i)C1-30アルキル基、j)C2-30アルケニル基、k)C2-30アルキニル基又はl)C1-30ハロアルキル基であり、C1-30アルキル基、C2-30アルケニル基、C2-30アルキニル基及びC1-30ハロアルキル基は、それぞれ、1〜5のR9基で置換されていてもよく；
R3及びR4は、独立して、a)C1-30アルキル基、b)C2-30アルケニル基、c)C2-30アルキニル基、d)C1-30ハロアルキル基、e)-Y-C3-14シクロアルキル基、f)-Y-C6-14アリール基、g)-Y-3〜14員シクロヘテロアルキル基又はh)-Y-5〜14員ヘテロアリール基であり、C1-30アルキル基、C2-30アルケニル基、C2-30アルキニル基、C1-30ハロアルキル基、C3-14シクロアルキル基、C6-14アリール基、3〜14員シクロヘテロアルキル基及び5〜14員ヘテロアリール基は、それぞれ1〜5のR9基で置換されていてもよく；
R5は、存在する場合には独立して、H又はC1-30アルキル基であり; 
R6は、存在する場合には独立して、-(L)r-R7であり；
Lは、存在する場合には独立して、a)二価のC3-14シクロアルキル基、b)二価のC6-14アリール基、c)二価の3〜14員シクロヘテロアルキル基又はd)二価の5〜14員ヘテロアリール基であり、ここで、a)〜d)は、それぞれ、1〜5のR9基で置換されていてもよく；
R7は、存在する場合には独立して、a)C3-14シクロアルキル基、b)C6-14アリール基、c)3〜14員シクロヘテロアルキル基又はd)5〜14員ヘテロアリール基であり、a)-d)は、それぞれ、1〜5のR8基で置換されていてもよく；
R8は、存在する場合には独立して、a)ハロゲン、b)-CN、c)-NO2、d)-OS(O)2R5、e)-Sn(R5)3、f)-B(OR5)2、g)C1-30アルキル基、h)C2-30アルケニル基、i)C2-30アルキニル基又はj)C1-30ハロアルキル基であり、ここで、C1-30アルキル基、C2-30アルケニル基、C2-30アルキニル基及びC1-30ハロアルキル基は、それぞれ、1〜5のR9基で置換されていてもよく；
R9は、存在する場合には独立して、a)ハロゲン、b)-CN、e)-NO2、f)-OH、g)-NH2、h)-OC1-10アルキル、i)-NH(C1-10アルキル)、j)-N(C1-10アルキル)2、k)-CHO、l)-C(O)OH、m)-C(O)(C1-10アルキル)、n)-C(O)O(C1-10アルキル)、o)-C(O)NH2、p)-C(O)NH(C1-10アルキル)、q)-C(O)N(C1-10アルキル)2、r)C1-30アルキル基、s)C2-30アルケニル基、t)C2-30アルキニル基、u)C1-30ハロアルキル基、v)C3-14シクロアルキル基、w)C6-14アリール基、x)3〜14員シクロヘテロアルキル基又はy)5〜14員ヘテロアリール基であり;
rは、存在する場合には独立して、0、1、2、3、4、5又は6である。
【請求項２】
a、d、e、f、g、j、k及びlは、独立して、CR1であり、
b、c、h及びiは、独立して、CR2であり、
R2は、存在する場合には独立して、H、ハロゲン、-OS(O)2R5、-Sn(R5)3、-B(OR5)2及び-Y-R6基から選択される請求項１の化合物。
【請求項３】
a、d、e、f、g、j、k及びlは、それぞれCHであり、
b及びiは、それぞれ、C(Br)又はC-(L)r-R7基であり、
c及びhは、それぞれCHであり、
rは0、1又は2であり、
Lは、存在する場合には、1〜5のR9基で置換されていてもよい二価の5員ヘテロアリール基であり、
R7は、1〜5のR8基で置換されていてもよい5員ヘテロアリール基である請求項１又は２の化合物。
【請求項４】
WがO又はC(CN)2である請求項１〜３のいずれか１つの化合物。
【請求項５】
ZがCR3R4であり、
R3及びR4は、それぞれ独立して、C6-20アルキル基又はC6-20ハロアルキル基であり、
p及びqは、それぞれ独立して、C(C6-20アルキル)基又はC(C6-20ハロアルキル)基である請求項１〜４のいずれか１つの化合物。
【請求項６】
以下の化合物から選択される請求項１の化合物。
2010535270.tif 000002
2010535270.tif 000003
【請求項７】
式VII又は式IXの化合物。
2010535270.tif 000004
式中、
pはCR3′;
qはCR4′;
Wは、存在する場合には独立して、O、S、NR1又はC(CN)2;
Yは、存在する場合には独立して、a)二価のC1-10アルキル基、b)二価のC2-10アルケニル基、c)二価のC2-10アルキニル基、d)二価のC1-10ハロアルキル基又はe)共有結合であり;
Zは、a)CR3'R4'、b)SiR3'R4'、c)C(O)、d)C(S)、e)C(NR5)又はf)C(CR1R1);
R1は、存在する場合には独立して、a)H、b)ハロゲン、c)-CN、d)-NO2、e)C1-30アルキル基、f)C2-30アルケニル基、g)C2-30アルキニル基、h)C1-30ハロアルキル基、i)-Y-C3-14シクロアルキル基、j)-Y-C6-14アリール基、k)-Y-3〜14員シクロヘテロアルキル基又はl)-Y-5〜14員ヘテロアリール基であり、C1-30アルキル基、C2-30アルケニル基、C2-30アルキニル基、C1-30ハロアルキル基、C3-14シクロアルキル基、C6-14アリール基、3-14員シクロヘテロアルキル基及び5-14員ヘテロアリール基はそれぞれ、1〜5のR9基で置換されていてもよく; 
R3'及びR4'は、独立して、a)H、b)C1-30アルキル基、c)C2-30アルケニル基、d)C2-30アルキニル基、e)C1-30ハロアルキル基、f)-Y-C3-14シクロアルキル基、g)-Y-C6-14アリール基、h)-Y-3〜14員シクロヘテロアルキル基又はi)-Y-5〜14員ヘテロアリール基であり、C1-30アルキル基、C2-30アルケニル基、C2-30アルキニル基、C1-30ハロアルキル基、C3-14シクロアルキル基、C6-14アリール基、3-14員シクロヘテロアルキル基及び5-14員ヘテロアリール基は、それぞれ1〜5のR9基で置換されていてもよく;
R5は、存在する場合には独立して、H又はC1-30アルキル基; 
Lは、存在する場合には独立して、a)二価のC3-14シクロアルキル基、b)二価のC6-14アリール基、c)二価の3-14シクロヘテロアルキル基又はd)二価の5-14員ヘテロアリール基であり、a)-d)はそれぞれ、1〜5のR9基で置換されていてもよく; 
R7は、存在する場合には、a)C3-14シクロアルキル基、b)C6-14アリール基、c)3-14シクロヘテロアルキル基又はd)5-14員ヘテロアリール基であり、a)-d)は、それぞれ1〜5のR8基で置換されていてもよく; 
R8は、存在する場合には独立して、a)ハロゲン、b)-CN、c)-NO2、d)-OS(O)2R5、e)-Sn(R5)3、f)-B(OR5)2、g)C1-30アルキル基、h)C2-30アルケニル基、i)C2-30アルキニル基又はj)C1-30ハロアルキル基であり、C1-30アルキル基、C2-30アルケニル基、C2-30アルキニル基及びC1-30ハロアルキル基は、それぞれ、1〜5のR9基で置換されていてもよく;
R9は、存在する場合には独立して、a)ハロゲン、b)-CN、e)-NO2、f)-OH、g)-NH2、h)-OC1-10アルキル、i)-NH(C1-10アルキル)、j)-N(C1-10アルキル)2、k)-CHO、l)-C(O)OH、m)-C(O)(C1-10アルキル)、n)-C(O)O(C1-10アルキル)、o)-C(O)NH2、p)-C(O)NH(C1-10アルキル)、q)-C(O)N(C1-10アルキル)2、r)C1-30アルキル基、s)C2-30アルケニル基、t)C2-30アルキニル基、u)C1-30ハロアルキル基、v)C3-14シクロアルキル基、w)C6-14アリール基、x)3〜14員シクロヘテロアルキル基又はy)5〜14員ヘテロアリール基であり;
rは、存在する場合には独立して、0、1、2、3、4、5又は6である。
【請求項８】
Wは、存在する場合には独立して、C(CN)2である請求項７の化合物。
【請求項９】
式IV又の化合物。
2010535270.tif 000005
式中、
a、d、g及びjは、独立して、CR1、N又はPであり；
b及びiは、CR2であり；
c及びhは、CHであり；
pはCR3であり；
qはCR4であり；
Wは、存在する場合には独立して、O、S、NR1又はC(CN)2であり；
Yは、存在する場合には独立して、a)二価のC1-10アルキル基、b)二価のC2-10アルケニル基、c)二価のC2-10アルキニル基、d)二価のC1-10ハロアルキル基又はe)共有結合であり；
R1は、存在する場合には独立して、a)H、b)ハロゲン、c)-CN、d)-NO2、e)C1-30アルキル基、f)C2-30アルケニル基、g)C2-30アルキニル基、h)C1-30ハロアルキル基、i)-Y-C3-14シクロアルキル基、j)-Y-C6-14アリール基、k)-Y-3〜14員シクロヘテロアルキル基又はl)-Y-5〜14員ヘテロアリール基であり、ここで、C1-30アルキル基、C2-30アルケニル基、C2-30アルキニル基、C1-30ハロアルキル基、C3-14シクロアルキル基、C6-14アリール基、3〜14員シクロヘテロアルキル基及び5〜14員ヘテロアリール基はそれぞれ、1〜5のR9基で置換されていてもよく；
R2は、存在する場合には独立して、-OS(O)2R5、-Sn(R5)3及び-B(OR5)2であり；
R3及びR4は、独立して、a)C1-30アルキル基、b)C2-30アルケニル基、c)C2-30アルキニル基、d)C1-30ハロアルキル基、e)-Y-C3-14シクロアルキル基、f)-Y-C6-14アリール基、g)-Y-3〜14員シクロヘテロアルキル基又はh)-Y-5〜14員ヘテロアリール基であり、C1-30アルキル基、C2-30アルケニル基、C2-30アルキニル基、C1-30ハロアルキル基、C3-14シクロアルキル基、C6-14アリール基、3〜14員シクロヘテロアルキル基及び5〜14員ヘテロアリール基は、それぞれ、1〜5のR9基で置換されていてもよく；
R5は、存在する場合には独立して、H又はC1-30アルキル基であり; 
R9は、存在する場合には独立して、a)ハロゲン、b)-CN、e)-NO2、f)-OH、g)-NH2、h)-OC1-10アルキル、i)-NH(C1-10アルキル)、j)-N(C1-10アルキル)2、k)-CHO、l)-C(O)OH、m)-C(O)(C1-10アルキル)、n)-C(O)O(C1-10アルキル)、o)-C(O)NH2、p)-C(O)NH(C1-10アルキル)、q)-C(O)N(C1-10アルキル)2、r)C1-30アルキル基、s)C2-30アルケニル基、t)C2-30アルキニル基、u)C1-30ハロアルキル基、v)C3-14シクロアルキル基、w)C6-14アリール基、x)3〜14員シクロヘテロアルキル基又はy)5〜14員ヘテロアリール基である。
【請求項１０】
以下の化合物から選択される請求項９の化合物。
2010535270.tif 000006
【請求項１１】
式VIIIの化合物。
2010535270.tif 000007
式中、
pはCR3′;
qはCR4′;
Wは、存在する場合には独立して、O、S、NR1又はC(CN)2;
Yは、存在する場合には独立して、a)二価のC1-10アルキル基、b)二価のC2-10アルケニル基、c)二価のC2-10アルキニル基、d)二価のC1-10ハロアルキル基又はe)共有結合であり;
R1は、存在する場合には独立して、a)H、b)ハロゲン、c)-CN、d)-NO2、e)C1-30アルキル基、f)C2-30アルケニル基、g)C2-30アルキニル基、h)C1-30ハロアルキル基、i)-Y-C3-14シクロアルキル基、j)-Y-C6-14アリール基、k)-Y-3〜14員シクロヘテロアルキル基又はl)-Y-5〜14員ヘテロアリール基であり、C1-30アルキル基、C2-30アルケニル基、C2-30アルキニル基、C1-30ハロアルキル基、C3-14シクロアルキル基、C6-14アリール基、3〜14員シクロヘテロアルキル基及び5〜14員ヘテロアリール基は、それぞれ、1〜5のR9基で置換されていてもよく; 
R3'及びR4'は、独立して、a)H、b)C1-30アルキル基、c)C2-30アルケニル基、d)C2-30アルキニル基、e)C1-30ハロアルキル基、f)-Y-C3-14シクロアルキル基、g)-Y-C6-14アリール基、h)-Y-3〜14員シクロヘテロアルキル基又はi)-Y-5〜14員ヘテロアリール基であり、C1-30アルキル基、C2-30アルケニル基、C2-30アルキニル基、C1-30ハロアルキル基、C3-14シクロアルキル基、C6-14アリール基、3〜14員シクロヘテロアルキル基及び5〜14員ヘテロアリール基は、それぞれ、1〜5のR9基で置換されていてもよく;
R5は、存在する場合には独立して、H又はC1-30アルキル基;
Lは、存在する場合には独立して、a)二価のC3-14シクロアルキル基、b)二価のC6-14アリール基、c)二価の3〜14シクロヘテロアルキル基又はd)二価の5〜14員ヘテロアリール基であり、a)-d)は、それぞれ、1〜5のR9基で置換されていてもよく; 
R7は、存在する場合には、1〜4のR8基で置換されていてもよいチエニル基であり; 
R8は、存在する場合には独立して、a)ハロゲン、b)-CN、c)-NO2、d)-OS(O)2R5、e)-Sn(R5)3、f)-B(OR5)2、g)C1-30アルキル基、h)C2-30アルケニル基、i)C2-30アルキニル基又はj)C1-30ハロアルキル基であり、C1-30アルキル基、C2-30アルケニル基、C2-30アルキニル基及びC1-30ハロアルキル基は、それぞれ、1〜5のR9基で置換されていてもよく;
R9は、存在する場合には独立して、a)ハロゲン、b)-CN、e)-NO2、f)-OH、g)-NH2、h)-OC1-10アルキル、i)-NH(C1-10アルキル)、j)-N(C1-10アルキル)2、k)-CHO、l)-C(O)OH、m)-C(O)(C1-10アルキル)、n)-C(O)O(C1-10アルキル)、o)-C(O)NH2、p)-C(O)NH(C1-10アルキル)、q)-C(O)N(C1-10アルキル)2、r)C1-30アルキル基、s)C2-30アルケニル基、t)C2-30アルキニル基、u)C1-30ハロアルキル基、v)C3-14シクロアルキル基、w)C6-14アリール基、x)3〜14員シクロヘテロアルキル基又はy)5〜14員ヘテロアリール基であり;
rは、存在する場合には独立して、0、1、2、3、4、5又は6である。
【請求項１２】
以下から選択される請求項１１の化合物。
2010535270.tif 000008
2010535270.tif 000009
2010535270.tif 000010
【請求項１３】
１以上のモノマーの重合生成物を含むポリマーであって、少なくとも１つのモノマーが請求項１〜１２のいずれかの化合物であるポリマー。
【請求項１４】
液体媒体に溶解された請求項１〜１３のいずれか１つの１以上の化合物又はポリマーを含む組成物。
【請求項１５】
薄膜半導体又は基体と薄膜半導体とを有する複合物を含む電子、光学又は光電子デバイスであって、
前記薄膜半導体が、請求項１〜１３のいずれか１つの１以上の化合物又はポリマーを含み、
前記デバイスが、電界効果トランジスタデバイス、フォトボルタイクデバイス又は有機発光ダイオードデバイスとして構成されている電子、光学又は光電子デバイス。